(57)【要約】【課題】複数のＩＤを有する無線通信システムにおいて、実際の運用現地での調整や設定を行うことなく、ＩＤ変更設定が可能な無線通信システム及びＩＤ管理方法を提供する。【課題を解決するための手段】基地局装置のＩＤを指定することなく呼出し得るグループ呼出機能を備え、移動局装置のＩＤを登録する際にグループ呼出により基地局装置にＩＤ登録要求を行う。【選択図】図１
2009016947.tif 000002
【特許請求の範囲】
【請求項１】
夫々に固有のＩＤを有する移動局無線機、及び移動局付加装置を備えた移動局装置と、夫々に固有のＩＤを有する基地局無線機、移動局付加装置、及び移動局のＩＤ登録管理を行う基地局制御装置を備えた基地局装置とにより構成される無線通信システムであって、
前記移動局装置は、通信対象無線機のうち少なくとも前記基地局装置を、相手方のＩＤを個別指定することなく呼出すことができるグループ呼出機能と、当該移動局装置の移動局無線機と移動局付加装置の少なくとも一方のＩＤを登録する際にグループ呼出によって前記基地局装置にＩＤ登録要求を行うＩＤ登録手段と、基地局装置から返送されるＩＤ登録可否情報に基づいて、登録許可をうけた自局のＩＤをメモリに記憶する自局ＩＤ記憶メモリとを備え、
前記基地局装置は、前記ＩＤ登録要求信号を受信すると、該ＩＤ登録要求信号に含まれるＩＤの登録可否を判断し、その結果を前記移動局装置に返信するＩＤ登録処理機能を備えたことを特徴とする無線通信システム。
【請求項２】
基地局装置とともに無線通信システムを構成する移動局装置であって、
固有のＩＤを有する移動局無線機と、移動局付加装置と、を備え、
前記移動局付加装置は、所定のトリガ信号によって前記移動局無線機のＩＤを読み出し、前記移動局装置のＩＤとして保存している保存ＩＤとの一致を検出するＩＤ確認機能と、ＩＤ確認の結果、両者が不一致の場合は前記基地局装置に対しＩＤの変更要求信号を送信する機能と、前記基地局装置から返送されるＩＤの変更終了信号に基づいて保存ＩＤを更新する機能と、を備えたことを特徴とする移動局装置。
【請求項３】
移動局装置とともに無線通信システムを構成する基地局装置であって、
夫々に固有のＩＤを有する基地局無線機と、基地局付加装置と、前記移動局装置のＩＤ登録管理を行う基地局制御装置と、を備え、
前記基地局付加装置は、所定のトリガ信号によって前記基地局無線機のＩＤを読み出し、前記基地局装置のＩＤとして保存している保存ＩＤとの一致を検出するＩＤ確認機能と、ＩＤ確認の結果、両者が不一致の場合は前記基地局制御装置に対しＩＤの変更要求信号を送信する機能と、前記基地局制御装置から返送されるＩＤの変更終了信号に基づいて保存ＩＤを更新する機能と、を備えたことを特徴とする基地局装置。
【請求項４】
夫々に固有のＩＤを有する移動局無線機、及び移動局付加装置を備えた移動局装置と、夫々に固有のＩＤを有する基地局無線機、移動局付加装置、及び移動局のＩＤ登録管理を行う基地局制御装置を備えた基地局装置とにより構成される無線通信システムにおけるＩＤ登録方法であって、
前記移動局付加装置は、通信対象無線機のうち少なくとも前記基地局装置を、相手方のＩＤを個別指定することなく呼出すことができるグループ呼出処理と、前記移動局無線機のＩＤを登録する際にグループ呼出によって前記基地局装置にＩＤ登録要求を行うＩＤ登録処理と、前記基地局装置から返送されるＩＤ登録可否情報に基づいて、登録許可をうけた自局のＩＤをメモリに記憶する自局ＩＤ記憶メモリ処理とを含み、
前記基地局装置は、前記ＩＤ登録要求信号を受信すると、該ＩＤ登録要求信号に含まれるＩＤの登録可否を判断する処理と、その結果を前記移動局装置に返信するＩＤ登録処理とを含むことを特徴とする無線通信システムにおけるＩＤ登録方法。
【請求項５】
夫々に固有のＩＤを有する移動局無線機、及び移動局付加装置を備えた移動局装置と、夫々に固有のＩＤを有する基地局無線機、移動局付加装置、及び移動局のＩＤ登録管理を行う基地局制御装置を備えた基地局装置とにより構成される無線通信システムにおけるＩＤ登録方法であって、
前記基地局付加装置は、前記基地局無線機のＩＤ登録要求を行うＩＤ登録処理と、前記基地局制御装置から返送されるＩＤ登録可否情報に基づいて、登録許可をうけた自局のＩＤをメモリに記憶する自局ＩＤ記憶メモリ処理とを含み、
前記基地局制御装置は、前記ＩＤ登録要求信号を受信すると、該ＩＤ登録要求信号に含まれるＩＤの登録可否を判断する処理と、その結果を前記基地局付加装置に返信するＩＤ登録処理とを含むことを特徴とする無線通信システムにおけるＩＤ登録方法。
【発明の詳細な説明】
【技術分野】
【０００１】
本発明は、無線通信システム及びＩＤ登録方法に関し、詳しくは、無線局装置に複数のＩＤを含む無線通信システム、基地局装置、移動局装置、及び、それらのＩＤ登録方法に関する。
【背景技術】
【０００２】
近年、無線通信システムにおいてもデジタル化が進み、デジタル化された無線機では、情報漏洩防止等のセキュリティ向上を目的として、同一性を確認するための認証符号（IDENTIFICATION：ＩＤ）を与えて登録しておき、システム利用の際に無線機から送信するＩＤがデータ・ベースに登録されたものであるか否かを確認して、システムの利用を許可する等の管理を行うことが一般的である。
同時にデジタル技術の発展に伴って各種のデジタル機器を利用した無線通信システムが提供されている。例えば、人工衛星等から送信される電波を受信して位置を確認する全地球測位システム（Global Positioning System：ＧＰＳ）を用いたものとして、車両管理システム、ゴルフ場のカート位置管理システム、自動車教習所の教習用車両管理システム、子供・老人等の位置確認システム等、各種のものが知られている。
このような無線通信システムに使用する装置として、移動通信端末やサービス提供側の基地局装置、又はサービスセンタ装置には、無線通信機のみならず、モデムや各種制御装置を付加する必要があり、これら各種システムに汎用的に利用できるようにＧＰＳ信号受信機能を備えた制御ユニットも市販されている。
【０００３】
図８は、汎用的な制御ユニットとしての位置管理ユニットの例を示すブロック構成図である。この例に示す位置管理ユニット２０は、ＧＰＳレシーバ２１と、マイクロコンピュータ（マイコン）２２と、揮発性記憶装置や不揮発性記憶装置を備えたメモリ２３と、ＭＳＫ（Minimum Shift Keying）方式等のモデム２４とを含んだものである。
この位置管理ユニット２０は、例えば同図８に示すように、ＧＰＳアンテナ３０、移動局無線機（無線機）４０、パーソナルコンピュータ５０、表示装置５１、スイッチ等の入力機器５２、回転灯などの出力装置５３を付加することによって、例えば、ゴルフ場のカート位置管理用無線通信システムに利用可能である。
ゴルフ場では、プレイヤーやゴルフクラブ等を運搬するために多数のカートを使用するが、それらに図８に示すように構成した移動局装置を搭載し、夫々のゴルフ場における位置や動きを管理すれば、各パーティのプレイの状況を把握して、次パーティのスタート時間間隔を正確に管理することが出来る。また、予定以上にプレイに時間を要する遅延パーティがある場合は、全体的なプレイの潤滑運営、及び後続パーティのプレイヤーの興醒めを防止する必要性から、当該パーティのプレイヤーやキャディに迅速なプレイを促すことがゴルフ場の業績向上から重要である。
【０００４】
図９は、ゴルフ場のカート位置管理システムの概要を示す構成図である。カートには図８に示した移動局装置６０を搭載し、クラブハウス等のゴルフ場管理センタにはカート位置管理装置７０を設置する。ここに示すカート位置管理装置７０は、基地局無線機７１と、モデム、メモリ、インターフェース等を含む位置管理制御ユニット７２とを有する他に、パーソナルコンピュータ７３、メモリ装置に格納した車両管理ソフトウエア７４、表示装置７５、キーボードやマウス等の入出力装置７６、カート識別番号やそのカートを使用中のプレイヤーや関連情報を記録したデータ・ベース７７を周辺機器として備えている。
このように構成したカート位置管理システムによれば、定期的に、カート位置管理装置７０からカート側の移動局装置の位置管理ユニット２０をポーリングにより順次呼出して、又は、所定距離以上移動した移動局装置からの位置情報を送信させて、各カートの移動位置情報を収集する。カート位置管理装置では、収集したカート位置情報を、ゴルフコース全体の地図に表示しながら、各パーティのプレイの進行状況等を把握することができる。
【０００５】
ところで、車両管理システムに限らないが、各種の通信端末を管理する際に、上述したように通信端末に付与された同一性を確認するための認証符号（IDENTIFICATION：ＩＤ）が、データ・ベースに登録されたものであるか否かを確認して、システムの利用を許可する等の管理を行うことが一般的である。また、システム利用に際して利用料金を課金する場合に、ＩＤを課金用のアカウントとして用いることもある。
このようなＩＤ管理に関するものとしては、例えば特許文献１が存する。これは、一般の自家用車等に搭載したＧＰＳ付きの緊急通報車載機と、救急車両管理機関や病院等への通報手段をもった緊急通報センタとを含む総合的な緊急通報システムに関するものであり、そのなかで緊急通報車載機のＩＤの登録や更新処理を簡便に行う手段が提案されている。
【特許文献１】特開２００３−４４９６２公報
【発明の開示】
【発明が解決しようとする課題】
【０００６】
しかしながら、以上説明したような従来の無線通信システムにおけるＩＤ登録方法では、以下のような問題があった。
即ち、近年のデジタル無線通信機には、製造メーカで独自に設定した個別のＩＤを付加することが多い。また同時に、各種の無線通信システムに使用する装置として、無線通信端末やサービス提供側の基地局装置又はセンタには無線通信機のみならず、モデムや各種制御装置等の付加装置が備えられているが、それらにもＩＤを付して種々の管理を行う必要がある。特に上述したような汎用的な位置管理ユニットには、システム構築上、ＩＤや製造番号、更には、必要に応じて装置の仕様情報を付加することがあり、無線通信システムの制御や機能管理には付加装置のＩＤが使用されることが多い。
このように無線通信機に付されたＩＤと、付加装置特有のＩＤが併存する場合、先ず、無線通信機と通信するためには無線通信機のＩＤを必要とし、次に、無線通信機に接続された位置管理ユニット等の付加装置のＩＤが必要であり、それら両者のＩＤが、システム中に登録・管理されていることが必要となる。
【０００７】
このような場合の問題について、図９に示したゴルフ場カート位置管理システムを例に詳細に説明する。
図１０は、無線機にＩＤが設定されていない場合の、移動局装置（カート側位置管理ユニット）から基地局装置（カート管理装置のパソコンＰＣ）を呼出す場合の信号伝達フローチャートである。先ず、移動局装置では、ＧＰＳレシーバ２１の機能により、自局の位置を検出しながら、移動距離を監視しており、例えば移動距離が一定値以上になれば、基地局装置に対してデータを送信する。データには、移動局付加装置において、移動局付加装置の認識符号ＩＤｍが付加され、移動局無線機から電波信号に重畳されて送信される。この電波信号は基地局無線機により受信・復調され、基地局付加装置を経て、制御部のパーソナルコンピュータ（ＰＣ）に伝達されて、信号に含まれる位置情報を検出してカートの位置管理を行う。
また、基地局装置から移動局装置に位置情報送信を指示する場合は図１１に示すようなフローとなる。即ち、図１１に示すように、基地局装置の位置管理ユニットに付属するＰＣから、目的の移動局装置のＩＤｍを付した位置情報返送要求信号を生成し、基地局付加装置である位置管理ユニット、基地局無線機、移動局無線機、移動局付加装置の順で伝送する。これを受けた移動局装置では、自局の位置情報データに自局のＩＤｍを付加して、上記ルートを逆方向に順次伝送して、基地局のＰＣに伝達する。
【０００８】
しかし、このように多数の移動局を管理するシステムでは、システム全体に影響を与えるパラメータ等の設定が複雑であり、ユーザが自分で設定し、又は調整するのは困難であるので、装置の工場出荷の際や、専門家や種々の測定装置が整ったメンテナンスサービスセンタ等で行うことが通常であった。また更に、無線通信システムでは、上述したように、基地局無線機やその付加装置のＩＤを含めた調整や設定が必要であることから、従来、基地局無線機やそれらの付加装置と実際に通信可能なシステム運用場所に出向いて、調整や設定を行わざるを得なかった。
従って、例えば移動局装置の追加や、故障に伴う装置の交換、修理等においても、その都度現地に赴いて行う必要があり、人件費や時間工数を必要としていた。
【０００９】
また、図１２は、上記無線通信システムにおける移動局装置の位置管理ユニット等の移動局付加装置２０を交換する場合の調整方法を示す概要図である。図１２（ａ）に示す調整は工場やメンテナンスセンタにおいて行うもので、新しく使用する（交換する）位置管理ユニット（移動局付加装置）２０に、調整用として用意した移動局無線機４０を接続するとともに、調整用に用意した模擬的な基地局装置として、調整用基地局無線機７１、付加装置７２、パソコン（ＰＣ）７３からなる基地局装置と通信しながら調整や設定を行う。このとき、模擬的な基地局装置の付加装置７２のＩＤ（ＩＤｋ２）は実際のシステムのＩＤを設定する。このように調整や設定を行った移動局付加装２０を、図１２（ｂ）に示すように、実際の設置場所において運用する無線通信システムに接続する場合、無線通信機にＩＤが設定されていないのでそのまま使用しても何等支障は生じない。
【００１０】
しかしながら、上述したように無線機に個別のＩＤを備えた場合、図１３に示すように、工場やメンテナンスセンタ等での調整・設定が困難な場合があった。即ち、図１３（ａ）に示すように、図１２（ａ）に関連して説明した場合と同様に、工場やメンテナンスセンタにおいて調整・設定したものを、図１３（ｂ）に示すように、実際の運用場所において使用する場合、移動局無線機のＩＤ（ＩＤｒ３）及び基地局無線機のＩＤ（ＩＤｒ４）が調整・設定時のそれらと相違するので、無線機相互の通信が不可能であり、運用出来ないことになる。そこで従来は図１３（ｃ）に示すように、実際に運用する現場において夫々の無線機との交信処理を含めた調整・設定を行う必要があった。実際に使用する基地局無線機や、移動局無線機を調整・設定場所に持参すれば良いが、現時的には不可能である。
本発明は、このような従来の、複数のＩＤを有する無線通信システム及びそのようなシステムにおけるＩＤ登録方法に関する問題点を解決するためになされたものであって、実際に運用する現地において調整や設定を行う必要が無い無線通信システム及びＩＤ登録方法を提供することを目的としている。
【課題を解決するための手段】
【００１１】
本発明はかかる課題を解決するために、請求項１記載の発明は、夫々に固有のＩＤを有する移動局無線機、及び移動局付加装置を備えた移動局装置と、夫々に固有のＩＤを有する基地局無線機、移動局付加装置、及び移動局のＩＤ登録管理を行う基地局制御装置を備えた基地局装置とにより構成される無線通信システムであって、前記移動局装置は、通信対象無線機のうち少なくとも前記基地局装置を、相手方のＩＤを個別指定することなく呼出すことができるグループ呼出機能と、当該移動局装置の移動局無線機と移動局付加装置の少なくとも一方のＩＤを登録する際にグループ呼出によって前記基地局装置にＩＤ登録要求を行うＩＤ登録手段と、基地局装置から返送されるＩＤ登録可否情報に基づいて、登録許可をうけた自局のＩＤをメモリに記憶する自局ＩＤ記憶メモリとを備え、前記基地局装置は、前記ＩＤ登録要求信号を受信すると、該ＩＤ登録要求信号に含まれるＩＤの登録可否を判断し、その結果を前記移動局装置に返信するＩＤ登録処理機能を備えたことを特徴とする。
【００１２】
請求項２記載の発明は、基地局装置とともに無線通信システムを構成する移動局装置であって、固有のＩＤを有する移動局無線機と、移動局付加装置と、を備え、前記移動局付加装置は、所定のトリガ信号によって前記移動局無線機のＩＤを読み出し、前記移動局装置のＩＤとして保存している保存ＩＤとの一致を検出するＩＤ確認機能と、ＩＤ確認の結果、両者が不一致の場合は前記基地局装置に対しＩＤの変更要求信号を送信する機能と、前記基地局装置から返送されるＩＤの変更終了信号に基づいて保存ＩＤを更新する機能と、を備えたことを特徴とする。
【００１３】
請求項３記載の発明は、移動局装置とともに無線通信システムを構成する基地局装置であって、夫々に固有のＩＤを有する基地局無線機と、基地局付加装置と、前記移動局装置のＩＤ登録管理を行う基地局制御装置と、を備え、前記基地局付加装置は、所定のトリガ信号によって前記基地局無線機のＩＤを読み出し、前記基地局装置のＩＤとして保存している保存ＩＤとの一致を検出するＩＤ確認機能と、ＩＤ確認の結果、両者が不一致の場合は前記基地局制御装置に対しＩＤの変更要求信号を送信する機能と、前記基地局制御装置から返送されるＩＤの変更終了信号に基づいて保存ＩＤを更新する機能と、を備えたことを特徴とする。
【００１４】
請求項４記載の発明は、夫々に固有のＩＤを有する移動局無線機、及び移動局付加装置を備えた移動局装置と、夫々に固有のＩＤを有する基地局無線機、移動局付加装置、及び移動局のＩＤ登録管理を行う基地局制御装置を備えた基地局装置とにより構成される無線通信システムにおけるＩＤ登録方法であって、前記移動局付加装置は、通信対象無線機のうち少なくとも前記基地局装置を、相手方のＩＤを個別指定することなく呼出すことができるグループ呼出処理と、前記移動局無線機のＩＤを登録する際にグループ呼出によって前記基地局装置にＩＤ登録要求を行うＩＤ登録処理と、前記基地局装置から返送されるＩＤ登録可否情報に基づいて、登録許可をうけた自局のＩＤをメモリに記憶する自局ＩＤ記憶メモリ処理とを含み、前記基地局装置は、前記ＩＤ登録要求信号を受信すると、該ＩＤ登録要求信号に含まれるＩＤの登録可否を判断する処理と、その結果を前記移動局装置に返信するＩＤ登録処理とを含むことを特徴とする。
【００１５】
請求項５記載の発明は、夫々に固有のＩＤを有する移動局無線機、及び移動局付加装置を備えた移動局装置と、夫々に固有のＩＤを有する基地局無線機、移動局付加装置、及び移動局のＩＤ登録管理を行う基地局制御装置を備えた基地局装置とにより構成される無線通信システムにおけるＩＤ登録方法であって、前記基地局付加装置は、前記基地局無線機のＩＤ登録要求を行うＩＤ登録処理と、前記基地局制御装置から返送されるＩＤ登録可否情報に基づいて、登録許可をうけた自局のＩＤをメモリに記憶する自局ＩＤ記憶メモリ処理とを含み、前記基地局制御装置は、前記ＩＤ登録要求信号を受信すると、該ＩＤ登録要求信号に含まれるＩＤの登録可否を判断する処理と、その結果を前記基地局付加装置に返信するＩＤ登録処理とを含むことを特徴とする。
【発明の効果】
【００１６】
請求項１記載の発明によれば、移動局装置の無線機ＩＤがシステム上（基地局装置において）未登録の場合であっても、基地局装置との通信が可能であり、運用現地において専門家によるＩＤ登録処理を行うことなく、自動的にＩＤ登録を行うことが出来る。
請求項２記載の発明によれば、移動局装置の移動局無線機のＩＤが未登録の場合には、自動的にそのことを検出して、基地局装置に通知して新たな無線機ＩＤとして登録することができる。更に、必要に応じて新たなＩＤを、基地局装置に対してＩＤ登録要求処理を行うことも可能である。
請求項３記載の発明によれば、基地局装置の基地局無線機のＩＤが未登録の場合には、自動的にそのことを検出して、基地局制御装置に通知して新たなＩＤとして登録することができる。更に、必要に応じて新たなＩＤを、基地局制御装置に対してＩＤ登録要求処理を行うことも可能である。
請求項４又は５に記載の発明によれば、ＩＤ登録方法として表わしたので、それらの処理を実施可能なようにプログラムを作成することが可能である。従って、所用のコンピュータ機能を内蔵している基地局装置や移動局装置であれば、これらのプログラムをインストールすることによって、ソフトウエア的に上述した本発明を実現可能であり請求項１乃至３記載の無線通信システムや移動局装置、基地局装置と同様の効果を得ることが出来る。
【発明を実施するための最良の形態】
【００１７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
以下、本発明を、図８、図９に示したゴルフ場のカート位置管理システムを想定しながら説明する。即ち、図８、図９は、本発明を適用する無線通信システムの構成例を示す図としても使用する。
【００１８】
図１は本発明に係るＩＤ登録方法の一例を示すフローチャートであり、（ａ）は移動局付加装置側の処理を示したフローチャート、（ｂ）は基地局ＰＣ側の処理を示したフローチャートである。なお、図１の例は、移動局側の無線機に変更があった場合のＩＤ登録方法を示している。
図１（ａ）において、移動局装置に電源を投入すると、電源投入をトリガとして、移動局付加装置は、移動局無線機の予め設定されているＩＤを読み出し（Ｓ１）、それ以前に基地局装置との交信によって登録処理を行って記憶している自局無線機ＩＤと比較する（Ｓ２）。比較の結果、登録済みのＩＤと一致する場合は（Ｓ２、Ｙｅｓ）、ＩＤ登録処理の必要がないので、目的とする通信等の通常動作に移行する（Ｓ３）。一方、上記Ｓ２における判断の結果、保存したＩＤと相違する場合は（Ｓ２、Ｎｏ）、移動局無線機から読み出した新たなＩＤを揮発性メモリに一時的に記憶するとともに（Ｓ４）、移動局ＩＤ登録要求コマンドをグループ呼出によって送信する（Ｓ５）。ここで、グループ呼出（グループ送信）とは、基地局装置の無線機を含む複数の無線機を、夫々の個別ＩＤを指定することなく呼出すものである。グループ呼出は、例えば、位置管理ユニットのように、無線機に付加する装置を主体として、同一系列ユニットに共通して付加する呼出し符号、あるいはＩＤであってもよい。又は、無線機に関して考えれば、無線装置としての型式検定を受けたものであることを示す記号や符号等をＩＤとして管理するものであってもよい。
【００１９】
このようなグループ呼出によれば、呼出す必要のない無線機も含めて呼出し、又は、受信可能になるが、目的とする基地局無線機のＩＤや付加装置のＩＤが判明しない場合であっても、基地局無線機を呼出して通信可能となる。本発明は、このような特徴に注目して、移動局装置の無線機や付加装置、あるいは基地局装置の無線機や付加装置の中に未登録のＩＤが含まれる場合であっても、少なくともＩＤ登録処理を可能にしたものである。
このようにして移動局からグループ呼出によって送信されたＩＤ登録要求コマンドは、後述するように基地局装置に受信され、応答信号が返送されるが、応答時間を監視するために、再送タイマ（Ｔｍ）をリセットして、所定時間の経過を監視する（Ｓ６）とともに、基地局装置からの応答信号を待ち（Ｓ７、Ｓ８）、所定時間応答がない場合は、Ｓ５に戻って、移動局ＩＤ登録要求コマンドを再送する（Ｓ８、Ｙｅｓ）。再送回数は、図示を省略したが、一定回数を設定しておき、一定回数になったら、未登録として処理する。なお、上記Ｓ７において、基地局装置から応答信号を受信した場合は（Ｓ７、Ｙｅｓ）、応答内容に基づいて、登録処理か、通信禁止処理を行う（Ｓ９）。ここで、登録処理は、基地局装置から登録終了の信号を受信したときに、登録を許可された自局ＩＤと、同時に基地局装置から返送された基地局装置ＩＤを、不揮発性メモリに記憶する。また、登録禁止のコマンドを受けた場合は、基地局ＩＤを保存することなく、基地局に直接アクセスできないようにするか、登録禁止フラグを保存し、移動局装置からの発呼を禁止する等の処理を行う。
【００２０】
図１（ｂ）は、移動局装置から送信されるＩＤ登録要求コマンドに対応する基地局装置のＩＤ登録処理のフローチャートであり、基地局装置では、図１（ｂ）に示すように、基地局無線機が電波信号を受信するとともに復調し、上記Ｓ５において送信された移動局装置からのＩＤ登録要求コマンドを取り出して、基地局装置の制御装置である基地局パソコン（ＰＣ）に供給する（Ｓ１０）。基地局ＰＣでは受信した移動局ＩＤの登録処理を行い（Ｓ１１）、それらが登録許可されたものであるか否かを判断し（Ｓ１２）、登録が許可されていると判断した場合は（Ｓ１２、Ｙｅｓ）、移動局装置に対し移動局登録終了コマンドを送信し（Ｓ１３）、その後、通常動作に移行する。移動局登録終了コマンドには、基地局装置のＩＤを付加し、またＳ１３においては、必要に応じてＩＤ以外の設定情報を変更する手順を追加してもよい。なお、Ｓ１２において、基地局登録が許可されていないと判断した場合は（Ｓ１２、Ｎｏ）移動局ＩＤが登録できない旨を示す登録禁止コマンドを移動局装置に対して送信する（Ｓ１４）。
【００２１】
図２は本発明に係るＩＤ登録方法の一例を示すフローチャートであり、（ａ）は基地局付加装置側の処理を示したフローチャート、（ｂ）は基地局ＰＣ側の処理を示したフローチャートである。なお、図２の例は、基地局側の無線機に変更があった場合のＩＤ登録方法を示している。
図２（ａ）において、基地局装置に電源を投入すると、電源投入をトリガとして、基地局側の付加装置（図９の例では位置管理ユニット７２）は、基地局無線機に記録している（予め設定されている）ＩＤを読み出し（Ｓ２１）、それ以前に登録処理を行って記憶している自局無線機ＩＤと比較する（Ｓ２２）。比較の結果、登録済みのＩＤと一致する場合は（Ｓ２２、Ｙｅｓ）、ＩＤ登録処理ではなく、目的とする通信処理等の通常動作に移行する（Ｓ２３）。一方、上記Ｓ２２における判断の結果、保存したＩＤと相違する場合は（Ｓ２２、Ｎｏ）、基地局無線機から読み出した新たなＩＤを揮発性メモリに一時的に記憶するとともに（Ｓ２４）、自局のＩＤ変更要求コマンドを自局に付加された制御用ＰＣに送る（Ｓ２５）。送信されたＩＤ変更要求コマンドは、後述するように基地局ＰＣに受信され、応答信号が返送されるが、応答時間を監視するために、再送タイマ（Ｔｂ）をリセットして、所定時間の経過を監視する（Ｓ２６）。更に、タイマ時間経過するまで基地局装置の基地局ＰＣからの応答信号を待ち（Ｓ２７、Ｓ２８）、所定時間応答がない場合は、Ｓ２５に戻って、ＩＤ変更要求コマンドを再送する（Ｓ２８、Ｙｅｓ）。再送回数は、図示を省略したが、一定回数を設定しておき、一定回数になったら、未登録として処理する。なお、上記Ｓ２７において、基地局ＰＣから応答信号を受信した場合は（Ｓ２７、Ｙｅｓ）、新たに登録した自局ＩＤを不揮発性メモリに記憶（Ｓ２９）した後、通常動作に移行する。なお、この処理において、一定回数再要求しても応答がない場合は、所定時間経過後に、再びＳ２１からの処理を行うか、動作不良としてアラームを表示する等の処理を行うことも出来る。
【００２２】
一方、このようなＩＤ変更要求を受けたＰＣでは、図２（ｂ）に示すように、基地局付加装置から送付されたＩＤ変更要求コマンドを取り出して（Ｓ３１）、受信した自基地局ＩＤの登録処理を行い（Ｓ３２）、基地局付加装置に対し基地局ＩＤ変更終了（要求）コマンドを送る（Ｓ３３）。このとき更に、ＩＤ以外の設定情報を変更する手順を追加してもよく（Ｓ３４）。また必要に応じて、移動局管理データ・ベース等に基づいて、通信相手である移動局装置に対し基地局装置ＩＤの変更登録要求処理を行うこともできる（Ｓ３５）。
【００２３】
図３乃至図５は、以上説明した処理フローにおいて移動局装置又は基地局装置から送信されるＩＤ登録要求コマンド又は、ＩＤ変更要求コマンドの例を示す図である。
先ず、図３（ａ）は、移動局装置ＩＤ登録要求コマンドの例であり、移動局装置ＩＤ登録要求を表わすコマンド番号、移動局無線機ＩＤ、移動局付加装置ＩＤが含まれた例で、移動局付加装置→基地局付加装置→基地局パソコン（ＰＣ）のルートで伝達される。
図３（ｂ）は、移動局装置ＩＤ登録終了、禁止コマンドの例で、移動局装置ＩＤ登録終了、禁止を表わすコマンド番号、基地局無線機ＩＤ、基地局付加装置ＩＤ、移動局無線機ＩＤ、移動局付加装置ＩＤが含まれ、基地局ＰＣ→基地局付加装置→移動局付加装置のルートで伝達される。
図４（ａ）は、基地局装置ＩＤ変更要求コマンドの例で、基地局ＩＤ変更要求を表わすコマンド番号、基地局無線機ＩＤ、基地局付加装置ＩＤを含み、基地局付加装置→基地局ＰＣのルートで伝達される。
図４（ｂ）は、基地局装置ＩＤ変更終了コマンドの例で、基地局変更登録終了を表わすコマンド番号、基地局無線機ＩＤ、基地局付加装置ＩＤを含んでおり、基地局ＰＣ→基地局付加装置のルートで伝達される。
【００２４】
図５（ａ）は、基地局装置ＩＤ登録要求コマンドの例で、基地局装置ＩＤ登録要求を表わすコマンド番号、基地局無線機ＩＤ、基地局付加装置ＩＤ、移動局無線機ＩＤ、移動局付加装置ＩＤが含まれ、基地局ＰＣ→基地局付加装置→移動局付加装置のルートで伝達される。
図５（ｂ）は、移動局装置ＩＤ登録終了コマンドの例で、移動局ＩＤ登録終了を表わすコマンド番号、移動局無線機ＩＤ、移動局付加装置ＩＤ、基地局無線機ＩＤ、基地局付加装置ＩＤが含まれ、移動局付加装置→基地局付加装置→基地局ＰＣのルートで伝達される。
また、図６は、移動局装置に変更があったときに、基地局（基地局ＰＣ）に伝達されるＩＤの組み合わせの例を示す図であり、無線機ＩＤ、付加装置ＩＤが新規に登録される場合と、既に登録されている場合の違いによって、夫々図示したような組み合わせが有り得るが、本発明は夫々の場合について登録処理やＩＤ確認処理が可能である。
同様に図７は、基地局装置に変更があった場合に、基地局ＰＣに伝達されるＩＤの組み合わせであり、図に示すように三つの場合が有り得るが、この場合も登録処理が可能である。
【００２５】
本発明は上述した実施例に限定する必要はなく種々の変形が可能である。例えば、本発明を適用する無線通信システムとして、車両位置管理システムに限らず、各種機能の付加装置を備えた携帯電話機を携行する人や、同様の装置を付加した移動体の位置管理システムにも適用可能である。
また、本発明による移動局装置や基地局装置のＩＤ登録方法をコンピュータが制御可能なＯＳに従ってプログラミングすることにより、そのＯＳを備えたコンピュータであれば同じ処理方法により制御することができ、このようなプログラムをコンピュータが読み取り可能な形式で記録媒体に記録すれば、記録媒体を持ち運ぶことにより何処でもプログラムを稼動することができる。また、プログラムを格納する記録媒体としては半導体媒体（例えば、ＲＯＭ、不揮発性メモリカード等）、光媒体（例えば、ＤＶＤ、ＭＯ、ＭＤ、ＣＤ等）、磁気媒体（例えば、磁気テープ、フレキシブルディスク等）等のいずれであってもよく、また、ロードしたプログラムを実行することにより上述した実施形態の機能が実現されるだけでなく、そのプログラムの指示に基づき、オペレーティングシステムあるいは他のアプリケーションプログラム等と共同して処理することによって上述した実施形態の機能が実現される場合も含まれる。
【図面の簡単な説明】
【００２６】
【図１】本発明により移動局装置の無線機を交換する場合のＩＤ登録方法の一例を示す図で、（ａ）は移動局装置の処理を示したフローチャート、（ｂ）は基地局装置の処理を示したフローチャート。
【図２】本発明により基地局装置の無線機を交換する場合のＩＤ登録方法の一例を示す図で、（ａ）は基地局側の付加装置の処理を示したフローチャート、（ｂ）は基地局側ＰＣの処理を示したフローチャート。
【図３】本発明における制御コマンドの一例を示す図で、（ａ）は移動局装置ＩＤ登録要求コマンドの一例を示す図、（ｂ）は移動局ＩＤ登録終了、禁止コマンドの例を示す図。
【図４】本発明における制御コマンドの一例を示す図で、（ａ）は基地局装置ＩＤ変更要求コマンドの一例を示す図、（ｂ）は基地局装置ＩＤ登録終了コマンドの一例を示す図。
【図５】本発明における制御コマンドの一例を示す図で、（ａ）は基地局装置ＩＤ変更要求コマンドの他の例を示す図、（ｂ）は基地局装置ＩＤ登録終了コマンドの他の例を示す図。
【図６】本発明のＩＤ登録方法における、制御コマンドのＩＤ組み合わせの例を示す図。
【図７】本発明のＩＤ登録方法における、制御コマンドのＩＤ組み合わせの例を示す図。
【図８】本発明を適用する無線通信システムの一例を示す概要ブロック図。
【図９】本発明を適用する無線通信システムの一例を示す概要ブロック図。
【図１０】従来の無線通信装置における信号のやりとりを示すフローチャート。
【図１１】従来の無線通信装置における信号のやりとりを示すフローチャート。
【図１２】従来の無線通信システムにおける移動局装置のＩＤ設定方法を説明する図で、（ａ）は工場やメンテナンスセンタにおける設定、（ｂ）は無線装置設置場所における動作を説明する図。
【図１３】従来の無線通信システムにおける移動局装置のＩＤ設定方法を説明する図で、（ａ）は工場やメンテナンスセンタにおける設定、（ｂ）は無線装置設置場所における動作、（ｃ）は運用場所における設定の必要性を説明する図。
【符号の説明】
【００２７】
２０  位置管理ユニット（移動局付加装置）、２１  ＧＰＳレシーバ、２２  マイクロコンピュータ（マイコン）、２３  メモリ、２４  モデム、４０、７１  無線機、５０、７３  パーソナルコンピュータ（ＰＣ）、６０  移動局装置、７０  基地局装置、７２  基地局付加装置、７４  車両管理ソフトウエア、７７  データ・ベース。
【図１】
2009016947.tif 000003
【図２】
2009016947.tif 000004
【図３】
2009016947.tif 000005
【図４】
2009016947.tif 000006
【図５】
2009016947.tif 000007
【図６】
2009016947.tif 000008
【図７】
2009016947.tif 000009
【図８】
2009016947.tif 000010
【図９】
2009016947.tif 000011
【図１０】
2009016947.tif 000012
【図１１】
2009016947.tif 000013
【図１２】
2009016947.tif 000014
【図１３】
2009016947.tif 000015